(57)【要約】【課題】充電量を増やすことができる携帯電子機器用電池を提供する。【解決手段】携帯電子機器２の内蔵電池を充電する携帯電子機器用電池であって、ケース１２内に、８つの電池セル８からなる給電源７を収容する。前記電池セル８が１．５〜１．７Ｖの乾電池型セルであり、該電池セルを直列及び並列に接続して、前記給電源７の出力電圧を６．０〜６．８Ｖにすることが好ましい。前記給電源７の出力電圧を前記内蔵電池の許容電圧に調節する電圧調節部９を設けることが好ましい。前記ケース１２に、前記携帯電子機器２に嵌合されて電気的に接続される接続コネクタ６を設け、該接続コネクタ６に、当該接続コネクタ６の前記携帯電子機器２からの抜出を抑制する抜出抑制部２２を一体的に設けることが好ましい。【選択図】　　　　図２
2004063436.tif 000002
【特許請求の範囲】
【請求項１】
携帯電子機器の内蔵電池を充電する携帯電子機器用電池であって、ケース内に、８つの電池セルからなる給電源を収容したことを特徴とする携帯電子機器用電池。
【請求項２】
前記電池セルが１．５〜１．７Ｖの乾電池型セルであり、該電池セルを直列及び並列に接続して、前記給電源の出力電圧を６．０〜６．８Ｖにした請求項１に記載の携帯電子機器用電池。
【請求項３】
前記給電源の出力電圧を前記内蔵電池の許容電圧に調節する電圧調節部を設けた請求項１または２に記載の携帯電子機器用電池。
【請求項４】
前記ケースに、前記携帯電子機器に嵌合されて電気的に接続される接続コネクタを設け、該接続コネクタに、当該接続コネクタの前記携帯電子機器からの抜出を抑制する抜出抑制部を一体的に設けた請求項１乃至３のいずれか１項に記載の携帯電子機器用電池。
【発明の詳細な説明】
【０００１】
【発明の属する技術分野】
本発明は、携帯電話等の携帯電子機器の内蔵電池を充電する携帯電子機器用電池に関するものである。
【０００２】
【従来の技術】
携帯電子機器例えば携帯電話は、電源としてリチウム電池やニッカド電池などの二次電池である充電可能な電池（バッテリー）を内蔵している。電池切れの場合には、通常、付属している充電器を用いて商用電源（ＡＣ電源）等から内蔵電池の充電を行っている。
【０００３】
付属等の充電器は、携帯することを前提にするものではなく家庭等の所定の場所に置いて使用するものであり、携帯に適さず、しかも、商用電源がない場所では役に立たない。このため、内蔵電池の残量が少なくなると予め充電器を用いて充電を行なう必要があるが、常に残量を気にするわけではなく、残量が少ない状態や電池切れの状態のまま外出することもあり、外出時、電池切れが起こり携帯電話を使用することができなくなってしまうことがある。特に、近年、内蔵電池は、１回の充電で長時間の使用が可能になってきているので、残量を気にする頻度が少なくなり、電池切れを起こすことが多くなると思われる。
【０００４】
このため、外出先でも簡単に内蔵電池の充電を行え、携帯性に優れた携帯電話用電池が提案されている。
この携帯電話用電池としては、市販乾電池と同様に使い捨てタイプのものであり、例えば、市販されている単３、単４乾電池等の単＊乾電池と同じ形の乾電池型セルが４本収容されたケースと、そのケースの一端部に設けられ、電池セルからの電圧を携帯電話の使用電圧の許容電圧に調節する電圧調節部と、その電圧調節部の上部に設けられ、携帯電話のインターフェイスコネクタに嵌合されて電気的に接続される接続コネクタとを備えたものである。
【０００５】
【発明が解決しようとする課題】
ところで、前述の携帯電話用電池は、接続コネクタを携帯電話のインターフェイスコネクタに嵌合することにより、電池セルと携帯電話の内蔵電池とが電気的に接続されて、その内蔵電池を充電することができる。しかし、特に内蔵電池の残量がほとんどない状態で前述の携帯電話用電池を用いて充電を行っても、フル充電（満充電）を行うことができなかった。例えば、携帯電話の種類によっても異なるが、前述の携帯電話用電池を用いて充電しても、充電量が少なく通話時間は２時間程度が限界であった。その結果、直ぐに電池切れを起こしてしまうこととなる。
【０００６】
そこで、本発明は、このような実情に鑑みなされたものであり、その目的は、充電量を増やすことができる携帯電子機器用電池を提供することにある。
【０００７】
【課題を解決するための手段】
前記目的を達成するために、本発明の携帯電子機器用電池は、携帯電子機器の内蔵電池を充電する携帯電子機器用電池であって、ケース内に、８つの電池セルからなる給電源を収容したものである。
【０００８】
前記電池セルが１．５〜１．７Ｖの乾電池型セルであり、該電池セルを直列及び並列に接続して、前記給電源の出力電圧を６．０〜６．８Ｖにすることが好ましい。
前記給電源の出力電圧を前記内蔵電池の許容電圧に調節する電圧調節部を設けることが好ましい。
前記ケースに、前記携帯電子機器に嵌合されて電気的に接続される接続コネクタを設け、該接続コネクタに、当該接続コネクタの前記携帯電子機器からの抜出を抑制する抜出抑制部を一体的に設けることが好ましい。
【０００９】
【発明の実施の形態】
以下、本発明の実施の形態を添付図面に基づいて詳述する。
図１乃至図３には本発明の携帯電子機器用電池の一例が示されている図である。図４乃至図６には本発明の携帯電子機器用電池の他の例が示されている図である。図１乃至図６において、１は携帯電子機器用電池を示し、この携帯電子機器用電池１は、携帯電子機器（携帯電話）２の内蔵電池（図示せず）を充電するものである。
【００１０】
携帯電子機器２としては、例えば携帯電話、携帯情報端末（ＰＤＡ）、モバイルパソコン等の携帯パソコン、携帯ゲーム機等が挙げられ、好ましくは携帯電話であり、本発明の実施の形態では携帯電話について説明する。
【００１１】
携帯電話２には、通信データの送受信や内蔵されている充電可能な内蔵電池（バッテリー）の充電等を行えるようにインターフェイスコネクタ３が設けられている。
インターフェイスコネクタ３は、メス型のコネクタであり、このコネクタ３には、嵌合凹部４内に例えば１６個のコネクタ端子を有する端子部５が嵌合凹部４の深さ方向に沿って立設されている。インターフェイスコネクタ３は、未使用時、ゴミ等が入らないようにカバー（図示せず）が装着されている。このインターフェイスコネクタ３に携帯電子機器用電池１の接続コネクタ６が挿入されて嵌合される。
【００１２】
携帯電子機器用電池１は、ケース１２内に携帯電話２の内蔵電池（図示せず）を充電する給電源７が収容されてなる。
給電源７は、例えば、市販されている００６Ｐ型（規格番号００６Ｐ型）の９Ｖ乾電池、単１乾電池、単２乾電池、単３乾電池、単４乾電池等に内蔵されている１．５Ｖの電池セルを８つ接続してなるものであり、携帯電子機器用電池１が使いきりのいわゆる１次電池である。
【００１３】
電池セル８としては、どのようなものを用いてもよいが、好ましくは、００６Ｐ型乾電池に内蔵される１．５〜１．７Ｖの電池セルがよい。この電池セルは、単＊乾電池とおなじタイプの乾電池型セル（市販はされていないが大きさからいうと単６の乾電池）と、積層型セルとの２種類があり、どちらを用いてもよいが、乾電池型セルを用いることが好ましい。また、１．５〜１．７Ｖの電池セルとは、００６Ｐ型乾電池に内蔵されている電池セルであればどのようなものでもよく、通常その内蔵電池セルは電圧が１．５〜１．７Ｖであるので、１．５〜１．７Ｖとしたが、これに限定されることはない。
【００１４】
電池セル８の数は８つであり、その接続は、携帯電話２の内蔵電池に直接充電できるようにできるだけ内蔵電池の電圧に近い電圧値になるように適宜直列接続及び／又は並列接続することが好ましい。このとき、そのまま接続し充電することができない場合には、電圧調節部９を設けることが好ましい。
電圧調節部９は、給電源７からの電圧を、充電を行う携帯電話２の内蔵電池の許容電圧に調節するものであり、例えば、ダイオード、抵抗、レギュレータ、昇圧回路等により構成される。具体的には例えば、電圧調節部９は、携帯電話２の内蔵電池の電圧が５．３Ｖである場合には、出力電圧が６．０〜６．８Ｖとなるように８つの電池セル８を適宜接続し、その出力電圧を約５．３Ｖになるように例えば抵抗１０とダイオード１１を接続してなる。また、給電源７からの電圧が内蔵電池の電圧より低い場合には例えば昇圧回路を用いる。
【００１５】
８つの電池セル８を出力電圧が６．０〜６．８Ｖとなるように接続するには、どのように接続してもよく、例えば、下記の６つのように接続するようにしてもよい。
▲１▼　図７に示すように、４つの電池セル８を直列に接続したものを２つ並列に接続する。
▲２▼　図８に示すように、２つの電池セル８を並列に接続したものを４つ直列に接続する。
▲３▼　図９に示すように、２つの電池セル８を直列に接続した２つを並列に接続したものを２つ直列に接続する。
▲４▼　図１０に示すように、２つの電池セル８を並列に接続した２つの間に、２つの電池セル８を直列に接続した２つを並列に接続したものを直列に接続する。
▲５▼　図１１に示すように、３つの電池セル８を直列に接続した２つを並列に接続したマイナス極側に、２つの電池セル８を並列に接続したものを直列に接続する。
▲６▼　図１２に示すように、３つの電池セル８を直列に接続した２つを並列に接続したプラス極側に、２つの電池セル８を並列に接続したものを直列に接続する。
【００１６】
ケース１２は、電池セル８の種類によって形状が異なるが、例えば断面矩形、円形、楕円形、多角形等の箱状に形成されている。例えば、図１乃至図６に示すように、ケース１２は、８つの乾電池型セル８ａ、８ｂ、８ｃ、８ｄ、８ｅ、８ｆ、８ｇ、８ｈを４つずつ２列に並列に収容し得るようにほぼ矩形の箱状に形成されている。
ケース１２の長手方向の一方の面（取付面）１２ａには、ケース１２の長手方向に沿って延在する接続コネクタ６が一体的に設けられている。ケース１２及び接続コネクタ６の材質は、どのようなものでもよく、絶縁材料、例えばプラスチック等の合成樹脂が用いられる。
【００１７】
ケース１２内には、具体的には例えば、第１、第２、第５、第６乾電池型セル８ａ、８ｂ、８ｅ、８ｆがプラス極が接続コネクタ６側になるように収容されると共に、第３、第４、第７、第８乾電池型セル８ｃ、８ｄ、８ｇ、８ｈがマイナス極が接続コネクタ６側になるように収容される。
第１、第２乾電池型セル８ａ、８ｂのプラス極は、第１連結端子１３によって接続されている。第７、第８乾電池型セル８ｇ、８ｈのマイナス極は、第２連結端子１４によって接続されている。第１乾電池型セル８ａのマイナス極と第３乾電池型セル８ｃのプラス極とが、第２乾電池型セル８ｂのマイナス極と第４乾電池型セル８ｄのプラス極とが、第３乾電池型セル８ｃのマイナス極と第５乾電池型セル８ｅのプラス極とが、第４乾電池型セル８ｄのマイナス極と第６乾電池型セル８ｆのプラス極とが、第５乾電池型セル８ｅのマイナス極と第７乾電池型セル８ｇのプラス極とが、第６乾電池型セル８ｆのマイナス極と第８乾電池型セル８ｈのプラス極とが、それぞれ第３連結端子１５によって接続されている。
第１連結端子１３は、ダイオード１１を介してプラス端子１６に接続されている。第２連結端子１４は、抵抗１０を介してマイナス端子１７に接続されている。
【００１８】
接続コネクタ６は、携帯電話２のインターフェイスコネクタ３の嵌合凹部４に挿入されて嵌合されるオス型のコネクタであり、ケース１２の取付面１２ａの長手方向に沿って延在する断面ほぼ細長の矩形状に形成されている。接続コネクタ６には、インターフェイスコネクタ３の端子部５が嵌合される端子凹部１８が設けられている。端子凹部１８には、プラス、マイナス端子１６、１７の接続端子部１６ａ、１７ａを収容する端子収容部１９が設けられており、端子凹部１８にインターフェイスコネクタ３の端子部５が嵌合されたとき、端子収容部１９に収容された接続端子部１６ａ、１７ａと端子部５の内蔵電池の外部出入力端子（給電端子）とが電気的に接続されて、内蔵電池の充電が行えるようになっている。プラス、マイナス端子１６、１７の接続端子部１６ａ、１７ａには、外部出入力端子との接続が確実に行われるように端子凹部１８の内側に突出する突部（図示せず）を設けることが好ましい。
【００１９】
接続コネクタ６の壁部であって幅の長い両壁部（両長壁部）２０には、嵌合凹部４の長内壁４ａとそれぞれ嵌合し得るように溝や突出した部分が複数設けられている。すなわち、接続コネクタ６を嵌合凹部４に挿入して嵌合するとき、長壁部２０を逆に挿入しようとしても、挿入できないような形状に両長壁部２０が形成されている。
【００２０】
接続コネクタ６には、インターフェイスコネクタ３に挿嵌したとき、接続コネクタ（携帯電子機器用電池１）がインターフェイスコネクタ３から抜けに難くする抜出抑制部２２が設けられている。
抜出抑制部２２は、どのように構成してもよく、例えば、接続コネクタ６の残りの両壁部（両短壁部）２１に、インターフェイスコネクタ３の嵌合凹部４を形成する内壁と係合して接続コネクタ６を係止する係止部（図示せず）をそれぞれ一体的に設けて構成するようにしてもよい。
【００２１】
係止部は、嵌合方向に沿って延在すると共に、短壁部２１内に可撓可能に形成される。係止部の外表面には、例えば断面ほぼ半円形状の突部（係合突部）が設けられ、この突部が嵌合凹部の内壁の係合部（図示せず）と係合し、接続コネクタ５（携帯電子機器用電池１）がインターフェイスコネクタ３から抜け難くなっている。
【００２２】
抜出抑制部２２としては、係止部を設けて構成してもよいが、特に図１３に示すように、接続コネクタ６の両短壁部２１、２１に、接続コネクタ６の延在方向に沿って延在し、端子凹部１８に連通されるスリット２３を設けて構成することが好ましい。この場合、接続コネクタ６の長壁部２０の幅（長壁部の外表面の幅）ａは、図１４に示すように、対応する嵌合凹部４の長内壁４ａの幅ｂより大きく、好ましくは少し大きく形成されていることがよい。
スリット２３は、接続コネクタ６の長壁部２０の幅ａを弾性変形により短くするものであり、スリット２３の幅は、長壁部２０の幅ａを弾性変形により嵌合凹部４の長内壁２０の幅ｂ以下にする範囲から任意に決められる。
【００２３】
接続コネクタ６には、嵌合凹部４への挿嵌が容易に行えるように嵌合案内部２４を設けることが好ましい。
嵌合案内部２４は、どのように構成してもよく、例えば、両長壁部２０の先端部（嵌合方向先端部）の側端部に、図１３及び図１４に示すように、嵌合凹部４内へと案内する傾斜面２５をそれぞれ形成して構成するようにしてもよい。傾斜面２５の先端部間の幅ｃは、対応する嵌合凹部４の内壁間の幅（間隔）ｂより小さく形成するようにする。この傾斜面２５と共に、両短壁部２１、２１の先端部の側端部に、ほぼ同様に嵌合凹部４内へと案内する傾斜面をそれぞれ形成することが好ましい。
傾斜面２５の形状は、例えば、ＲやＣ面（平面）状に形成される。
【００２４】
また、嵌合案内部２４としては、例えば長壁部２０の平面部（断面直線状の部分）の形状のみを案内形状に形成して構成するようにしてもよい。すなわち、図１５に示すように、長壁部２０の平面部の先端部を嵌合方向とほぼ平行に延在する平面状に形成すると共に、残りの部分を先端部にいくに連れてそれぞれ内方に漸次傾斜する傾斜面２６として形成して、嵌合案内部２４を構成するようにしてもよい。
【００２５】
また、図１６に示すように、長壁部２０の平面部の嵌合方向のほぼ中央部又はほぼ中央部より先端部側に段差２７を設けると共に、この段差２７の先端部側を先端部側に漸次傾斜させた傾斜面２８にして、嵌合案内部２４を構成するようにしてもよい。また、長壁部２０の平面部に段差を２段以上例えば２段設けて、嵌合案内部２４を構成するようにしてもよい。これら段差の位置は、好ましくは、嵌合方向のほぼ中央部から先端部とは反対側である。これらのように、長壁部２０の平面部を案内形状に形成した場合には、先端部の長壁部２０の幅ｃは、対応する嵌合凹部４の内壁間の幅（間隔）ｂより小さく形成するようにする。
【００２６】
また、嵌合案内部２４としては、両長壁部２０、２０全体を先端部にいくに連れてそれぞれ内方に傾斜するように形成して構成するようにしてもよい。この長壁部２０の先端部間の幅ｃは、対応する嵌合凹部４の長内壁間の幅（間隔）ｂより小さく形成するようにする。この傾斜と共に、両短壁部２１、２１全体も先端部にいくに連れてそれぞれ内方に傾斜するように形成することが好ましい。
【００２７】
また、嵌合案内部２４としては、両長壁部２０、２０に段差（図示せず）を１段又は２段以上設けて構成するようにしてもよい。このように段差を設ける場合には、先端部の長壁部２０の幅ｃは、対応する嵌合凹部４の長内壁間の幅（間隔）ｂより小さく形成するようにする。この段差と共に、両短壁部２１、２１にも同様に段差を１段又は２段以上設けることが好ましい。
また、段差を設けた場合には、段差が設けられた部分を漸次傾斜させた傾斜面を設けるようにしてもよく、このように傾斜面を設けることにより、段差の部分がスムーズに嵌合凹部４内に挿入されることになる。
【００２８】
また、ケース１２は、図１乃至図３に示すように、第１ケース３０と第２ケース３１とに２分割に形成されてなる。このとき、接続コネクタ６も、第１コネクタ３２と第２コネクタ３３とに２分割され、第１コネクタ３２は第１ケース３０に、第２コネクタ３３は第２ケース３１にそれぞれ一体的に設けられている。
第１ケース３０と第２ケース３１とは、ケース１２の幅方向のほぼ中央部から２分割してもよいし、他の箇所から２分割してもよいが、好ましくは、一方のケース、例えば第１ケース３０に乾電池型電池セル８、抵抗１０、ダイオード１１、プラス、マイナス端子１６、１７、絶縁板３４を収容して、これに第２ケース３１を被せるように形成することが好ましい。
【００２９】
絶縁板３４は、接続コネクタ６側の８つの乾電池型電池セル８の電極と第１ケース３０の内壁との間に収容されるほぼ矩形平板状に形成されている。また、絶縁板３４は、収容時、第１、第２、第３連結端子を固定するような厚さに形成することが好ましい。絶縁板３４の長さが短い両側部には、第１、第２連結端子１３、１４の連結部１３ａ、１４ａを絶縁板３４と第１ケース３０の内壁との間に位置させる窪み部３５がそれぞれ設けられている。絶縁板３４と第１ケース３０の内壁との間に、ダイオード１１と抵抗１０とが配置される。
第１ケース３０には、プラス、マイナス端子１６、１７の水平部１６ｂ、１７ｂを収容（固定）する水平端子収容部３６、３６がそれぞれ設けられている。また、第１コネクタ３２には、プラス、マイナス端子１６、１７の垂直部１６ｃ、１７ｃをそれぞれ収容する一対の端子収容溝３７、３７が設けられている。
【００３０】
また、第１コネクタ３２には、第１コネクタ３２と第２コネクタ３３とを合わせたときスリット２３が形成されるようにＬ状の切欠部３８が設けられている。つまり、スリット２３を形成する２つのスリット壁部が分割された別々の第１、第２コネクタ３２、３３に形成されるようにすることが好ましい。また、切欠部３８は、第２コネクタ３３に設けてもよいし、第１、第２コネクタ３２、３３の両方に設けるようにしてもよい。
【００３１】
第１、第２ケース３０、３１の周縁３０ａ、３１ａは、ほぼ矩形の枠状に形成され、例えば第１ケース３０の周縁３０ａの内側には、全周にわたってリブ３９が立設されていると共に、第２ケース３１の周縁３１ａの内側には、全周にわたってそのリブ３９が嵌合するリブ嵌合部（図示せず）が設けられており、第１ケース３０の周縁３０ａと第２ケース３１の周縁３１ａとを合わせてケース１２が簡単に組み立てられるようになっている。
また、ケース１２の組み立てをより簡単に行えるように、例えば第１コネクタ３２に突部挿入穴４０を設けると共に、第２コネクタ３３にその突部挿入穴４０に挿入される突部（図示せず）を設けるようにしてもよい。
【００３２】
第１ケース３０（第１コネクタ３２を含む）と第２ケース３１（第２コネクタ本体３３を含む）との結合は、どのように構成してもよく、例えば、第１ケース３０の四隅近傍にねじ溝が螺刻されているネジ孔（図示せず）をそれぞれ設けると共に、第２ケース３１の四隅近傍に、第１ケース３０と第２ケース３１とを合わせてケース１２を組み立てたとき、ネジ孔とほぼ同軸上になるネジ部材貫通孔（図示せず）を設けて、ケース組立後、ネジ部材貫通孔に例えばネジを挿入してネジ穴に螺合し、第１、第２ケース３０、３１を結合してもよい。
【００３３】
また、ケース組立後の第１ケース３０と第２ケース３１との周縁部の全体又は２以上の箇所を超音波接合により接合して結合するようにしてもよいし、第１、第２ケース３０、３１の周縁３０ａ、３１ａを接着剤により結合するようにしてもよい。このとき、第１コネクタ３２と第２コネクタ３３との間も超音波接合や接着剤による結合を行うようにしてもよい。また、第１ケース３０の四隅や接続コネクタ１側の二隅の近傍に、それぞれ突出部を設けると共に、第２ケース３１にそれら突出部が挿入される挿入穴を設けるようにしてもよく、これにより、第１ケース３０と第２ケース３１との組立を簡単に行えるようになる。
【００３４】
また、ケース１２は、図１乃至図３に示すように、第１ケース３０と第２ケース３１とに２分割したものを用いても良いが、図４乃至図６に示すように、矩形筒状のものを用いても良い。
具体的には例えば、ケース１２は、前記乾電池型電池セル８を４つずつ２列に８つ配置した状態でのみ収容し得る断面ほぼ矩形状の筒体状に形成される金属製のケース本体４３と、そのケース本体４３の一方の開口部である上部を絶縁板４４を介して閉塞すると共に接続コネクタ６を有するほぼ矩形平板状のカバー４５と、ケース本体４３の他方の開口部である底部を閉塞する絶縁製のほぼ矩形平板状の底板４６とからなる。
【００３５】
絶縁板４４の長さが短い両側部には、第１、第２連結端子１３、１４の連結部１３ａ、１４ａを絶縁板４４とカバー４５との間に位置させる窪み部４７がそれぞれ設けられている。絶縁板４４とカバー４５との間には、ダイオード１１と抵抗１０とが配設されている。ケース組立時、ダイオード１１の一方の端子にプラス端子４８が接続されると共に、抵抗１０の一方の端子にマイナス端子４９が接続されるようになっている。
【００３６】
プラス、マイナス端子４８、４９のダイオード１１及び抵抗１０にそれぞれ接触する接触部４８ａ、４９ａは、ケース組立時、絶縁板４４とカバー４５とで挟持されるようになっており、挟持されたとき、ダイオード１１及び抵抗１０のそれぞれの端子に確実に接触するように弾性変形可能にほぼＵ字状に形成されている。また、プラス、マイナス端子４８、４９の接触部４８ａ、４９ａには、ダイオード１１及び抵抗１０のそれぞれの棒状の端子１０ａが挿入される挿入孔４８ｂ、４９ｂがそれぞれ設けられ、より確実にプラス、マイナス端子４８、４９とダイオード１１及び抵抗１０とが接触するようになっている。
【００３７】
また、絶縁板４４とカバー４５との間には、ケース組立時、ダイオード１１及び抵抗１０のそれぞれの他方の端子と第１、第２連結端子１３、１４の連結部１３ａ、１４ａとを接続する２つの接続端子５０、５０が設けられる。
接続端子５０には、カバー４５の接続端子用固定孔（図示せず）に挿入される固定部５０ａが設けられている。また、接続端子５０には、ケース組立時、絶縁板４４とカバー４５とで挟持されるようになっており、挟持されたとき、ダイオード１１及び抵抗１０のそれぞれの端子に確実に接触するように弾性変形可能にほぼＵ字状に形成されている。また、接続端子５０には、ダイオード１１及び抵抗１０のそれぞれの棒状の端子１０ｂが挿入される挿入孔５０ｂがそれぞれ設けられ、より確実に第１、第２連結端子１３、１４とダイオード１１及び抵抗１０とが接触するようになっている。
【００３８】
さて、この携帯電子機器用電池１を製造するには、まず、図２に示すように、第１ケース３０に、第１、第２、第３連結端子１３、１４、１５で接続された８つの乾電池型電池セル８ａ、８ｂ、８ｃ、８ｄ、８ｅ、８ｆ、８ｇ、８ｈを収容すると共に、抵抗１０、ダイオード１１、プラス、マイナス端子１６、１７及び絶縁板３４を収容する。このとき、プラス、マイナス端子１６、１７の水平部１６ｂ、１７ｂを水平端子収容部３６、３６に収容させると共に、プラス、マイナス端子１６、１７の垂直部１６ｃ、１７ｃを端子収容溝３７、３７にそれぞれ収容させる。また、絶縁板３４は、接続コネクタ６側の８つの乾電池型電池セル８ａ、８ｂ、８ｃ、８ｄ、８ｅ、８ｆ、８ｇ、８ｈの電極と第１ケース３０の内壁との間に収容する。
【００３９】
収容後、第１ケース３０の周縁３０ａに、第２ケース３１の周縁３１ａを合わせてケース１２を組み立て、第１、第２ケース３０、３１を結合する。これにより、図１及び図３に示すように、第１、第２コネクタ３２、３３も合わせられて接続コネクタ６が組み立てられた携帯電子機器用電池１が得られる。
【００４０】
また、図５に示すように、底板４６上に、第１、第２、第３連結端子１３、１４、１５で接続された８つの乾電池型電池セル８ａ、８ｂ、８ｃ、８ｄ、８ｅ、８ｆ、８ｇ、８ｈを載置する。この乾電池型電池セル８ａ、８ｂ、８ｃ、８ｄ、８ｅ、８ｆ、８ｇ、８ｈの上に絶縁板４４を配置する。このとき、第１、第２連結端子１３、１４の連結部１３ａ、１４ａを窪み部４７を介して絶縁板４４の上方に位置させ、この連結部１３ａ、１４ａを折り曲げる。この絶縁板４４上に、抵抗１０をその棒状端子１０ｂが連結部１４ａ上になるように配置すると共に、ダイオード１１を、その棒状端子１１ｂが連結部１３ａ上になるように配置する。さらに、接触部４８ａの挿入孔４８ｂがダイオード１１の端子１１ａに挿入されるようにプラス端子４８を配置すると共に、接触部４９ａの挿入孔４９ｂが抵抗１０の端子１０ａに挿入されるようにマイナス端子４９を配置し、かつ、２つの接続端子５０を、挿入孔５０ｂにダイオード１１及び抵抗１０のそれぞれの端子１０ｂが挿入されるように配置する。
【００４１】
この上に、接続コネクタ６を有するカバー４５を被せる。このとき、プラス端子４８及びマイナス端子４９の先端部を接続コネクタ６の端子収容部（図示せず）にそれぞれ収容させる。また、接続端子５０の固定部５０ａをカバー４５の接続端子用固定孔（図示せず）に挿入する。
【００４２】
そして、これら底板４６、給電源７、絶縁板４４、抵抗１０、ダイオード１１、プラス端子４８、マイナス端子４９及び接続端子５０、５０、カバー４５を順次積層したものの側部（積層方向と直交する部分）をケース本体４３となる金属板を巻き付けた後、この金属板の繋ぎ目（合せ目）、カバー４５及び底板４６の縁部を加締めることにより、図４及び図６に示すように、携帯電子機器用電池１が得られる。
【００４３】
これらのようにられた携帯電子機器用電池１を用いて携帯電話２の充電を行うには、図３及び図６に示すように、携帯電話２のインターフェイスコネクタ３の嵌合凹部４に携帯電子機器用電池１の接続コネクタ６をつき合わせて、接続コネクタ６を嵌合凹部４内に挿入して嵌合する。これにより、プラス端子１６、４８及びマイナス端子１７、４９と端子部５の特定のコネクタ端子（内蔵電池の外部出入力端子（給電端子））とが電気的に接続されて、内蔵電池（バッテリー）の充電が行われる。
【００４４】
このとき、抜出抑制部２２が接続コネクタ６に一体的に設けられていることにより、接続コネクタ６がインターフェイスコネクタ３から抜け難くなっている。すなわち、抜出抑制部２２がスリット２３により構成されている場合について説明すると、接続コネクタ６の長壁部２０の幅ａは、対応する嵌合凹部４の長内壁４ａの幅ｂより大きく形成されているが、スリット２３が設けられているので、接続コネクタ６は嵌合凹部４内へと挿入される。
嵌合凹部４内に先端部が挿入された接続コネクタ６を嵌合方向前方に押し込むと、接続コネクタ６は、嵌合凹部４を形成する壁に接触してその押圧力によりスリット２３を介して弾性変形しつつ嵌合凹部４内に挿入されて嵌合される。
【００４５】
つまり、スリット２３の幅が狭く（長内壁２０の幅ａが狭く）なりながら接続コネクタ６は嵌合凹部４内に挿入されて嵌合されることにより、インターフェイスコネクタ３の端子部５が接続コネクタ６の端子凹部１８に挿入されて嵌合し、端子部５の内蔵電池の外部出入力端子とプラス、マイナス端子１６、４８、１７、４９とが電気的に接続されて、携帯電話２の内蔵電池（バッテリー）の充電が行われる。また、接続コネクタ６に嵌合案内部２４が設けられていることにより、接続コネクタ６は嵌合凹部４内へと容易に案内挿入される。よって、簡単な構造で、接続コネクタ６を容易にインターフェイスコネクタ３に嵌合させて電気的に接続させることができる。
【００４６】
接続コネクタ６は、嵌合凹部４内で付勢力により元の形状に戻ろうとして、嵌合凹部４を形成する内壁４ａに当接しているので、接続コネクタ６がインターフェイスコネクタ３の嵌合凹部４に係止される。
従って、板ばね等の係止部材を接続コネクタ６に取り付けることなく、接続コネクタ６をインターフェイスコネクタ３に係止させることができるため、係止部材の取付作業が不要であると共に別途の係止部材を必要とせず、より簡単にかつより低コストで携帯電子機器用電池１を製造することができる。
【００４７】
また、嵌合凹部４内で付勢力により元の形状に戻ろうとして、嵌合凹部４の内壁４ａに当接する壁部は、長壁部２０で面積が大きいため、長壁部２０と嵌合凹部４の内壁４ａとの摩擦力も大きくなる（短壁部２１が接触している場合に比して）ので、接続コネクタ６が嵌合凹部４から一層抜け難くなり、接続コネクタ６をインターフェイスコネクタ３により確実に係止することができる。
【００４８】
また、第１、第２コネクタ３２、３３を合わせることにより、スリット２３が形成されるので、形ができあがっているものにスリット２３を形成する場合に比して、例えば、Ｌ状に切り欠くだけの簡単な作業や型に入れて大量生産でスリット２３を形成することができる。
【００４９】
また、第１コネクタ３２が一体的に形成されている第１ケース３０と、第２コネクタ３３が一体的に形成されている第２ケース３１とからなることにより、一層簡単に製造することができ、より一層低コスト化を図れる。
【００５０】
また、給電源７は、８つの１．５〜１．７Ｖ乾電池セル８からなっているため、充電量を増やすことができる。すなわち、４つの１．７Ｖ乾電池セル８を用いてなる携帯電話用電池で、内蔵電池の残量がない状態の携帯電話の充電を行っても、フル充電（満充電）を行うことができなかった。例えば、携帯電話の種類によっても異なるが、その携帯電話用電池を用いて充電しても、充電量が少なく連続通話時間は２時間程度が限界であった。これに対して、８つの１．５〜１．７Ｖ乾電池セル８からなる、例えば、図７及び図８に示すように、８つの１．５〜１．７Ｖ乾電池セル８を接続した本発明の携帯電子機器用電池１を用いて携帯電話２の充電を行うと、フル充電（満充電）を行うことができ、しかも、携帯電話２によっても異なるが連続通話時間を４．５時間程度にすることができる。
【００５１】
したがって、本発明の携帯電子機器用電池１は、充電量を増やすことができると共に安価に製造することができる。例えば、抜出抑制部２２がスリット４６で構成され、かつ、ケース１２が図２に示すように第１ケース３０と第２ケース３１とから形成されていることにより、例えば、単４電池３本を用いた充電池とほぼ同じコストで本発明の携帯電子機器用電池１を製造することができ、工業的価値が高いものとなる。
【００５２】
【発明の効果】
本発明により、充電量を増やすことができる携帯電子機器用電池が得られる。
【図面の簡単な説明】
【図１】本発明の携帯電話用電池の一例を示す斜視図である。
【図２】本発明の携帯電話用電池の一例を示す分解斜視図である。
【図３】本発明の携帯電話用電池を携帯電話のインターフェースコネクタに接続させる一例を斜視図である。
【図４】本発明の携帯電話用電池の他の例を示す斜視図である。
【図５】本発明の携帯電話用電池の他の例を示す分解斜視図である。
【図６】本発明の携帯電話用電池を携帯電話のインターフェースコネクタに接続させる一例を斜視図である。
【図７】本発明の８つの電池セルの接続状態の一例を示す図である。
【図８】本発明の８つの電池セルの接続状態の他の例を示す図である。
【図９】本発明の８つの電池セルの接続状態の他の例を示す図である。
【図１０】本発明の８つの電池セルの接続状態の他の例を示す図である。
【図１１】本発明の８つの電池セルの接続状態の他の例を示す図である。
【図１２】本発明の８つの電池セルの接続状態の他の例を示す図である。
【図１３】本発明の接続コネクタの一例を示す斜視図である。
【図１４】本発明の接続コネクタと嵌合凹部との関係を示す図である。
【図１５】本発明の接続コネクタの他の例を示す斜視図である。
【図１６】本発明の接続コネクタの他の例を示す斜視図である。
【符号の説明】
１　　携帯電子機器用電池
２　　携帯電話（携帯電子機器）
７　　給電源
８　　電池セル
９　　電圧調節部
１２　ケース
２２　抜出抑制部
【図１】
2004063436.tif 000003
【図２】
2004063436.tif 000004
【図３】
2004063436.tif 000005
【図４】
2004063436.tif 000006
【図５】
2004063436.tif 000007
【図６】
2004063436.tif 000008
【図７】
2004063436.tif 000009
【図８】
2004063436.tif 000010
【図９】
2004063436.tif 000011
【図１０】
2004063436.tif 000012
【図１１】
2004063436.tif 000013
【図１２】
2004063436.tif 000014
【図１３】
2004063436.tif 000015
【図１４】
2004063436.tif 000016
【図１５】
2004063436.tif 000017
【図１６】
2004063436.tif 000018